(57)【要約】【課題】ドラム缶等の容器缶を充填物質から汚染或いは腐食から保護するため容器缶内に挿入するオープンタイプの内袋を、簡易に密封でき、かつ開缶後においても内袋を密封した状態を保持し、必要に応じて充填物をその必要量のみ取り出しできるようにした容器缶用内装袋を提供すること。【解決手段】容器缶内周面及び内底面に添って挿入し、開口端縁部を折り返すことにより缶開口周縁を被覆可能とした内袋と、充填物質取出口を有し、かつ缶開口部に着脱可能に被着するようにした内蓋とより構成し、内蓋に補強用リブを形成し、かつ外周縁に缶開口縁部に着脱するための被着溝と、充填物質取出口の内栓との上面をほぼ等高とすること。【選択図】図１
2005067727.tif 000002
【特許請求の範囲】
【請求項１】
容器缶内周面及び内底面に添って挿入し、開口端縁部を折り返すことにより缶開口周縁部を被覆可能とした内袋と、充填物質取出口を有し、かつ缶開口周縁部に着脱可能に嵌着するようにした内蓋とより構成したことを特徴とする容器缶用内装袋。
【請求項２】
内蓋に、外周縁に缶開口周縁部に着脱するための嵌着溝と、内栓を備えるようにした充填物質取出口とを形成し、充填物質取出口に装着した内栓の上面を嵌着溝の上面とほぼ等高もしくは少し低くしたことを特徴とする請求項１記載の容器缶用内装袋。
【請求項３】
内蓋に、嵌着溝の内周側面と接続されるようにして補強用リブを形成したことを特徴とする請求項１又は２記載の容器缶用内装袋。
【発明の詳細な説明】
【技術分野】
【０００１】  本発明は、容器缶用内装袋に関し、特に、ドラム缶等の容器缶の内周面を、充填物質から保護するため容器缶内に挿入するオープンタイプの内装袋を、簡易に密封でき、かつ開缶後においても内装袋を密封した状態を保持可能とし、必要に応じて充填物をその必要量のみ取り出しできるようにした容器缶用内装袋に関するものである。
【背景技術】
【０００２】  従来、ドラム缶（ペール缶を含む）等の容器缶内に流体、粉体等の薬剤、食品、その他の物質を充填する場合、容器缶内に直接これらの物質を充填すると、これら充填物質が容器缶内面に直接触れて汚れるため、この容器缶を再利用するには、汚れた内面を払拭或いは洗浄などにて清浄にすることが求められ、さらには充填物質が酸性、その他腐食性の物性の場合には、この充填物質の物性にて容器缶が腐食することがある。
このため、充填物質の特性に関わらず、容器缶内面が充填物質にて汚れたり、腐食するのを防止する目的で使用し、かつ容器缶の再利用を簡易に行えるよう、容器缶内に挿入装填する耐薬品性などの合成樹脂性の内装袋が提案されている。【０００３】  ところで、従来汎用されている容器缶用内装袋としては、容器缶内に充填する物質の全体を包み込むようにして容器缶内面全体を覆うようにした密閉式内装袋（クローズドタイプ）と、容器缶内周面と底面に添うようにし、物質充填口部を開口した開口式内装袋（オープンタイプ）との２種類がある。【０００４】  このため、この密閉式内装袋（クローズドタイプ）は、製造工程において、複雑な金型を要するとともに製造工程が複雑となるため、生産性が悪く、製品コストも高くなり、さらには充填物質の充填に手間がかかるという問題があった。
また、開口式内装袋（オープンタイプ）においては、密閉式内装袋に比べ製造工程が簡易なため、製品コストも低廉にて提供できる利点はあるが、使用時において容器缶を一度開缶すると内装袋も開口した状態となるため、充填物質を一度に使用する場合には何ら支障はないが、開缶後時間をあけ、かつ充填物質を複数回に分けて使用する場合、特に開缶後長時間に亘って或いは何日もおく場合には開缶により充填物質が空気や光に晒されて変質等をきたすという問題があった。
【発明の開示】
【発明が解決しようとする課題】
【０００５】  本発明は、上記従来の容器缶用内装袋の有する問題点に鑑み、容器缶内面に添って挿入するオープンタイプの内袋と、缶開口周縁部に着脱可能に嵌着又は被着する内蓋との組合せにより、簡易に密閉式内装袋を構成するようにした容器缶用内装袋を提供することを目的とする。
【課題を解決するための手段】
【０００６】  上記目的を達成するため、本発明の容器缶用内装袋は、容器缶内周面及び内底面に添って挿入し、開口端縁部を折り返すことにより缶開口周縁部を被覆可能とした内袋と、充填物質取出口を有し、かつ缶開口周縁部に着脱可能に嵌着するようにした内蓋とより構成したことを特徴とする。【０００７】  この場合において、内蓋に、外周縁に缶開口周縁部に着脱するための嵌着溝と、内栓を備えるようにした充填物質取出口とを形成し、充填物質取出口に装着した内栓の上面を嵌着溝の上面とほぼ等高もしくはこれより少し低くすることができる。【０００８】  また、内蓋に、嵌着溝の内周側面と接続されるようにして補強用リブを形成することができる。
【発明の効果】
【０００９】  本発明の容器缶用内装袋によれば、オープンタイプの内袋を、容器缶内周面及び内底面に添って挿入し、その開口端縁部を缶開口周縁部に添って被覆するよう折り返すことにより大きく開口する口部から従来のオープンタイプの内袋と同様に充填物質の充填を速やかに、かつ簡易に充填することができるとともに、缶開口部に着脱可能で、充填物質取出口を有する内蓋を嵌着するようにして、物質を充填した内袋を完全に密封状とすることができるようにしていることから、従来のクローズドタイプに比べて製造が簡易となり、製造コストの低廉化を図ることができるとともに、必要に応じて、必要量のみの充填物質を充填物質取出口から容易に取り出し、他の充填物質を不必要に空気や光に晒すことなく、容器缶用内装袋内に保存することができるので、開缶後充填物質を長時間容器缶内に保存しても物質の劣化等を防止することができる。【００１０】  また、内蓋に、外周縁に缶開口周縁部に着脱するための嵌着溝と、内栓を備えるようにした充填物質取出口とを形成し、充填物質取出口に装着した内栓の上面を嵌着溝の上面とほぼ等高もしくはこれより少し低くすることにより、ドラム缶等の容器缶内に内挿した内袋に内蓋を装着した状態で何の支障もなく、その外側に鉄製の外蓋を被冠固定することができ、また外蓋を外した状態で充填物質取出口から必要量のみの充填物質を容易に取り出することができる。【００１１】  また、内蓋に、嵌着溝の内周側面と接続されるようにして補強用リブを形成することにより、ドラム缶等の容器缶内に内挿した内袋に内蓋を装着し、該容器缶に外蓋を被冠固定した状態での輸送又は保管時に、容器缶が横倒、或いは天地が反対になった場合においても、補強リブを介して内蓋のほぼ全面に亘って外蓋にて均等に支持されるので、内袋が破損するのを防止することができる。
【発明を実施するための最良の形態】
【００１２】  以下、本発明の容器缶用内装袋の実施の形態を、図面に示す実施例に基づいて詳細に説明する。
【実施例１】
【００１３】  図１〜図６に、本発明の容器缶用内装袋の第１実施例を示す。
この容器缶用内装袋は、オープンタイプのドラム缶などの容器缶Ｃの内周面及び内底面に添って挿入し、開口端縁部を折り返すことにより缶開口周縁部を被覆するようにした内袋Ａと、充填物質取出口を有し、かつ缶開口部に着脱可能に嵌着するようにした内蓋Ｂとより構成するようにしている。【００１４】  内袋Ａは、オープンタイプのドラム缶などの容器缶Ｃの大きさ又はサイズ、例えば２００ｌ，１００ｌ，５５ｌ，２５ｌ等のサイズに合わせた有底筒状袋形とし、容器缶Ｃの内周面にしっくりと添って内挿できる筒状の内袋本体１と、この内袋本体１の底部に溶着して一体とし、かつ容器缶Ｃの内底面に添うように円形とした底片２とより構成し、この製造方法は特に限定されるものではなく、例えば予め形成する内袋Ａの形状に合わせた扁平状に折り畳んだ扁平状袋体部材を用い、これを前記サイズに合うようにした寸法に切断し、この一方の開口端縁に底片２を溶着して製造する。
この内袋本体１及び底片２は、互いに熱融着にて容易に、完全に溶着できる材質、例えば内袋としての所要の強度、厚さ、及び耐薬品性、かつ所定の熱収縮率を有する熱収縮性の合成樹脂シート、例えば焼却処分しても有害なダイオキシン等のガスが発生しないポリエチレンの単一シート或いは複合層シートなどを用いることができる。
また、内袋本体１の全長は、容器缶Ｃの深さＤ（又は長さ）よりも少し長くなるようにし、これにより内袋Ａを容器缶Ｃに内挿した状態で、内袋本体１の開口端縁部を缶開口周縁部に添って外側へ折り返すことができるようにする。【００１５】  内蓋Ｂは、軟質或いは半硬質の合成樹脂、例えば内袋Ａと同様のポリエチレン等の合成樹脂を用い、容器缶Ｃの開口端縁部にキャップ状にして着脱可能に嵌着できるように、外周縁に沿って環状の嵌着溝３を、内蓋Ｂの任意の位置には充填物質取出口４を、それぞれ形成して構成する。
また、この充填物質取出口４には、内栓５を着脱可能にして配設し、これにより容器缶Ｃ内、詳しくは容器缶Ｃ内に挿入した内袋Ａ内に充填した充填物質の必要量をだけを取り出し、残りの物質を内栓５をすることによって、空気や光に晒されることなく保存できるようにする。
この内蓋Ｂを缶開口端縁部に装着したとき、内蓋Ｂの外周縁に形成する環状の嵌着溝３の上面を、充填物質取出口４に装着した内栓５の上面とほぼ等高とするか、或いは内栓５の上面を嵌着溝３の上面より少し低くなるようにする。これにより、容器缶Ｃに鉄製の外蓋６をするとき、外蓋６の内面によって内栓５の上面が押圧されて変形したりするのを防止するようにすることができる。【００１６】  充填物質取出口４に着脱可能に配設する内栓５は、容易に充填物質取出口４に着脱し、かつ内袋Ａ内を密閉できるようにする構成であれば、その構造は図示の実施例に限定されるものではなく、例えば図６に示すように各種の形態とすることができる。
図６（Ａ）に示す実施例は、内ねじ式の内栓５１としたもので、これは内蓋Ｂの上面に短筒形に突出形成した充填物質取出口４の内周面に雌ねじ４２を、また内栓５１の外周面に雄ねじ５３をそれぞれ刻設し、これらの雌ねじ４２と雄ねじ５３とが互いに螺合できるようにして充填物質取出口４内に内ねじ式の内栓５１を着脱可能に配設するようにする。このとき、内ねじ式の内栓５１の上面には、同図（Ｃ）に示すように、回動工具を係止できるよう、十字形などの係止回動溝５４を形成する。
また、同図（Ｂ）に示す実施例は、キャップ式の内栓５としたもので、これは内蓋Ｂの上面に短筒形に突出形成した充填物質取出口４の外周面に雄ねじ４１を刻設し、またこれに着脱するキャップ形で外周面に滑り止め加工を施したキャップ式の内栓５の内周面にも雌ねじ５２を刻設し、この雌雄両ねじを螺合するようにする。
さらには、同図（Ｄ）に示す実施例は、押圧入式内栓としたもので、これは押圧入式の内栓５５の外周面に係止リング５６を形成し、充填物質取出口４内に強嵌合することで係止するようにしたものである。【００１７】  また、内蓋Ｂには、内栓５を着脱可能にした充填物質取出口４だけでなく、空気抜き孔７を形成し、必要に応じて内袋Ａ内を密閉できるよう栓又はバルブ（図示省略）を配設する。これにより充填物質取出口４より内袋Ａ内に充填物質を充填するとき、充填物質の充填量に応じて内袋Ａ内の空気が自然と抜けるようにするとともに、充填物質取出口４より充填物質を取り出すときにも、充填物質の取り出し量に応じて大気が内袋Ａ内に吸入されるようにし、これにより充填物質の充填、取り出しを円滑に行えるようにする。【００１８】  さらに、内蓋Ｂには、補強用リブ８を形成する。この補強用リブ８は、前記充填物質取出口４、空気抜き孔７の無い位置に形成されるが、その形状、配置は特に限定されるものではない。  例えば、図４（Ａ）に示すように、外周縁に嵌着溝３を形成した内蓋Ｂの上面に、その中心を通る２本の直線が互いにクロスするよう補強用リブ８，８をクロス形（十字形）に配置することもできるし、また図５（Ａ）に示すように、内蓋Ｂの中心を通る３本の直線をほぼ等角度で配置されるように３本の補強用リブ８１，８１，８１を形成するか、さらには同図（Ｂ）に示すように、内蓋Ｂの上面中央部に小径の補強リング８２を形成し、この補強リング８２の外周と嵌着溝３の内周側面とを結ぶようにしてクロス形に２本（又は３本）の補強用リブ８１，８１を配置することもできる。
なお、この補強用リブ８は、図示以外にも内蓋Ｂの中心を通る４本以上の直線状として配置することも可能である。【００１９】  次に、内袋Ａと内蓋Ｂとより構成する本発明の容器缶用内装袋を、ドラム缶Ｃ内に装着する方法について説明する。
まず、ドラム缶Ｃ内に内袋Ａを挿入する。この場合、ドラム缶Ｃの内底面に内袋Ａの底片２が、ドラム缶Ｃの内周面に内袋Ａの筒状をした内袋本体１が皺などが生じないようにしてしっくり添わせた後、内袋本体１の開口端縁部１１を缶開口端縁部に沿って外側に折り返すようにし、これにより缶開口端周縁部を覆うようにする。
次に、ドラム缶Ｃの開口端縁に嵌着溝３を嵌合するようにして内蓋Ｂを嵌着するが、ドラム缶Ｃの開口端縁と嵌着溝３の内周面との間には、外側に折り返した内袋本体１の開口端縁部１１を皺が生じないようにして挟持し、内袋Ａ内を密閉できるようにする。
充填物質の充填は、この内蓋Ｂを嵌着する前に、開口した内袋Ａ内に直接充填することも可能であるが、内蓋Ｂを嵌着した後、内栓５を取り外した充填物質取出口４より充填することもできる。この場合は、充填後に内栓５を装着するものである。【００２０】  このようにドラム缶Ｃ内に所要量の充填物質を充填した後、ドラム缶と同様の鉄製の外蓋６にて嵌着するが、輸送時の振動や転倒などにより充填物質が漏洩しないよう、より確実に容器缶用内装袋を密閉できるようにすることができる。これは、内蓋Ｂを嵌着した後、この内蓋Ｂの嵌着溝３の外周面よりドラム缶Ｃの口部外周面部を覆うように、弾力性のあるリング状の内蓋固定リング９を嵌め、この内蓋固定リング９にて嵌着溝３の外周面及びドラム缶Ｃの開口端縁外周面に押圧密着するようにする。
なお、この内蓋固定リング９は、外蓋６をバンド止めなどにてドラム缶Ｃに着装固定する際、内蓋Ｂの嵌着溝３と外蓋６との間にパッキンのように存在し、外蓋６の装着がより確実に行えるとともに、内袋Ａと内蓋Ｂとの間に隙間が生じるのを防止するようになり、容器缶用内装袋を確実に密閉できるものとなる。【００２１】  従って、本発明の容器缶用内装袋をドラム缶Ｃ内に装着して使用する場合において、輸送時や保管時にドラム缶Ｃが転倒或いは天地が逆さまになったときでも、内袋Ａはドラム缶Ｃの内周面や内底面にしっくりと添っているので破損することは少ないが、内蓋Ｂの上面と外蓋６の内面との間には隙間があるため、充填物質の圧力がこの内蓋Ｂの上面に掛かることとなり、この圧力で内蓋Ｂの上面が、前記隙間内にて変形せんとするも、補強リブ８がこの隙間内にて外蓋６の内面と接し、この内蓋Ｂの上面にかかる圧力を支持するようになり、容器缶用内装袋の破袋を防止することができ、安全に輸送、保管が行えるようになる。
【産業上の利用可能性】
【００２２】  以上説明した本発明の容器缶用内装袋は、容器缶内で充填物質を密封し、かつ小出しできるという特性を有していることから、ゲル状態、液体、粉体などの性状をした薬品、塗料原料、食品などのドラム缶用内装袋としての用途に好適に用いることができるほか、例えば、飲料水保管の用途にも用いることができる。
さらに本発明の容器缶用内装袋は、外蓋６に取出口を配設している場合でも、この外蓋６の取出口の位置に合わせて内蓋Ｂの充填物質取出口４を配設することにより、取出口付外蓋を備えたドラム缶にも適用することもできる。
【図面の簡単な説明】
【００２３】
【図１】本発明の容器缶用内装袋の第１実施例で、（Ａ）はドラム缶内に装着した使用状態を示す断面図、（Ｂ）は内蓋嵌着部の拡大断面説明図である。
【図２】ドラム缶内に装着する方法の説明図である。
【図３】内袋の説明図である。
【図４】内蓋を示し、（Ａ）は平面図、（Ｂ）は正面図、（Ｃ）は断面図である。
【図５】内蓋の異なる実施例を示し、（Ａ）は３本の補強用リブを配設した平面図、（Ｂ）は中央部に補強リングを配設した平面図をそれぞれ示す。
【図６】内蓋に装着する内栓の異なる実施例を示し、（Ａ）は内ねじ式内栓の断面説明図、（Ｂ）はキャップ式内栓の断面説明図、（Ｃ）は内ねじ式内栓の平面図、（Ｄ）は押圧入式内栓の説明図である。
【符号の説明】
【００２４】  Ａ    内袋
Ｂ    内蓋
Ｃ    ドラム缶などの容器缶
１    内袋本体
２    底片
３    嵌着溝
４    充填物質取出口
５    内栓
６    外蓋
７    空気抜き孔
８    補強用リブ
９    内蓋固定リング
【図１】
2005067727.tif 000003
【図２】
2005067727.tif 000004
【図３】
2005067727.tif 000005
【図４】
2005067727.tif 000006
【図５】
2005067727.tif 000007
【図６】
2005067727.tif 000008